(57)【要約】【課題】複数段に面材が配置される建具において、異なる種類の面材を容易に設置できる建具及びその施工方法を提供すること。【解決手段】建具２０は、上枠３５、下枠３７及び左右の縦枠３２，３３を有する枠体３０と、枠体３０内に配置される面材４２，５２と、を備える建具であって、左右の縦枠３２，３３のうち少なくとも一方の面材４２，５２側の見込面３２１ｃ，３３１ｃが平面のみで構成される。また、面材４２，５２は、縦枠３２，３３のみに固定されることが好ましい。【選択図】図４
2019031785.tif 000002
【特許請求の範囲】
【請求項１】
上枠、下枠及び左右の縦枠を有する枠体と、
前記枠体内に配置される面材と、を備える建具であって、
前記左右の縦枠のうち少なくとも一方の前記面材側の見込面が平面のみで構成される建具。
【請求項２】
前記面材は、前記縦枠のみに固定される請求項１に記載の建具。
【請求項３】
２つのカバー部材を備え、
前記２つのカバー部材は、前記面材の見付方向の端部を挟んだ状態で前記面材を前記縦枠に固定する請求項１又は２に記載の建具。
【請求項４】
前記縦枠は、見付方向の内側に延出する延出部を備え、
前記延出部との間に前記面材の見付方向の端部を挟んだ状態で前記面材を前記縦枠に固定する少なくとも１つのカバー部材を備える請求項１又は２に記載の建具。
【請求項５】
前記縦枠の前記面材とは反対側の見込面は、外方に突出する凸形状に形成される請求項１から４のいずれかに記載の建具。
【請求項６】
前記建具は、複数の窓が横方向に連続して配置された連窓を構成し、
前記連窓における隣接する窓の縦枠同士は、前記縦枠の長手方向に直交する方向に連結される請求項１から５のいずれかに記載の建具。
【請求項７】
前記縦枠同士が連結された連結部分において、前記縦枠の長手方向に直交する断面形状がＶ字状のＶ溝を有する請求項６に記載の建具。
【請求項８】
上枠、下枠及び左右の縦枠を有する枠体と、前記枠体内に配置される面材と、を備え、前記左右の縦枠のうち少なくとも一方の前記面材側の見込面が平面のみで構成される建具の施工方法であって、
前記縦枠に第１カバー部材を取り付ける第１カバー取付工程と、
前記縦枠に取り付けられた前記第１カバー部材に前記面材の見付方向の端部を配置する面材配置工程と、
前記第１カバー部材に配置された前記面材の見付方向の端部を前記第１カバー部材と第２カバー部材で挟んだ状態で前記面材を前記縦枠に固定するように、前記縦枠に前記第２カバー部材を取り付ける第２カバー取付工程と、を備える建具の施工方法。
【発明の詳細な説明】
【技術分野】
【０００１】
本発明は、上枠、下枠及び左右の縦枠を有する枠体と、枠体内に配置される面材と、を備える建具及びその施工方法に関する。
【背景技術】
【０００２】
従来、室内に配置される室内窓ユニット（建具）において、窓が上下に複数段配置されたものが知られている（例えば、特許文献１参照）。例えば、特許文献１に記載の室内窓ユニットにおいては、上段に開閉窓が配置され、下段に固定窓が配置されている。
【先行技術文献】
【特許文献】
【０００３】
【特許文献１】実用新案登録第３２０８１１７号公報
【発明の概要】
【発明が解決しようとする課題】
【０００４】
複数段に窓を配置する場合には、例えば、開閉窓と固定窓とでは取り付けるための構造が異なるため、枠体には、窓の種類に応じた取り付け用の専用の加工がされている。そのため、窓の種類に応じた加工が施された枠体が必要となり、異なる種類の窓を設置するには手間が掛かっていた。よって、複数段に窓が配置される建具において、異なる種類の窓を容易に設置できることが望まれる。
【０００５】
本発明は、複数段に面材が配置される建具において、異なる種類の面材を容易に設置できる建具を提供することを目的とする。
【課題を解決するための手段】
【０００６】
本発明は、上枠（例えば、後述の上枠３５、中枠３６）、下枠（例えば、後述の下枠３７、中枠３６）及び左右の縦枠（例えば、後述の縦枠３１、端部縦枠３２、連結縦枠３３）を有する枠体（例えば、後述の枠体３０）と、前記枠体内に配置される面材（例えば、後述の開閉障子４２、ＦＩＸ障子５２）と、を備える建具（例えば、後述の室内窓ユニット２０）であって、前記左右の縦枠のうち少なくとも一方の前記面材側の見込面（例えば、後述の見込平面部３２１ｃ，３３１ｃ）が平面のみで構成される建具に関する。
【０００７】
また、前記面材は、前記縦枠のみに固定されることが好ましい。
【０００８】
また、２つのカバー部材（例えば、後述のＦＩＸ側先付けカバー部材５３、ＦＩＸ側後付けカバー部材５４）を備え、前記２つのカバー部材は、前記面材の見付方向の端部を挟んだ状態で前記面材を前記縦枠に固定することが好ましい。
【０００９】
また、前記縦枠は、見付方向の内側に延出する延出部（例えば、後述の延出部３２２，３３２）を備え、前記延出部との間に前記面材の見付方向の端部を挟んだ状態で前記面材を前記縦枠に固定する少なくとも１つのカバー部材（例えば、ＦＩＸ側後付けカバー部材５４）を備えることが好ましい。
【００１０】
また、前記縦枠の前記面材とは反対側の見込面は、外方に突出する凸形状に形成されることが好ましい。
【００１１】
また、前記建具は、複数の窓が横方向に連続して配置された連窓を構成し、前記連窓における隣接する窓の縦枠同士は、前記縦枠の長手方向に直交する方向に連結されることが好ましい。
【００１２】
また、前記縦枠同士が連結された連結部分において、前記縦枠の長手方向に直交する断面形状がＶ字状のＶ溝（例えば、後述のＶ溝３３ｂ）を有することが好ましい。
【００１３】
また、本発明は、上枠、下枠及び左右の縦枠を有する枠体と、前記枠体内に配置される面材と、を備え、前記左右の縦枠のうち少なくとも一方の前記面材側の見込面が平面のみで構成される建具の施工方法であって、前記縦枠に第１カバー部材（例えば、後述のＦＩＸ側先付けカバー部材５３）を取り付ける第１カバー取付工程と、前記縦枠に取り付けられた前記第１カバー部材に前記面材の見付方向の端部を配置する面材配置工程と、前記第１カバー部材に配置された前記面材の見付方向の端部を前記第１カバー部材と第２カバー部材（例えば、後述のＦＩＸ側後付けカバー部材５４）で挟んだ状態で前記面材を前記縦枠に固定するように、前記縦枠に前記第２カバー部材を取り付ける第２カバー取付工程と、を備える建具の施工方法に関する。
【発明の効果】
【００１４】
本発明によれば、複数段に面材が配置される建具において、異なる種類の面材を容易に設置できる建具を提供することができる。
【図面の簡単な説明】
【００１５】
【図１】本発明の第１実施形態に係る室内窓ユニットの姿図である。
【図２】開閉窓を構成する部分の縦断面図であって、図１のＡ−Ａ線断面図である。
【図３】図２の部分拡大図である。
【図４】開閉窓を構成する部分の横断面図であって、図１のＢ−Ｂ線断面図である。
【図５】ＦＩＸ窓を構成する部分の縦断面図であって、図１のＣ−Ｃ線断面図である。
【図６】図５の部分拡大図である。
【図７】ＦＩＸ窓を構成する部分の横断面図であって、図１のＤ−Ｄ線断面図である。
【図８】縦枠の構成を示す斜視図である。
【図９】ＦＩＸ障子を枠体に取り付ける施工手順を説明する図である。
【図１０】開閉障子を枠体に取り付ける手順を説明する図である。
【図１１】第２実施形態に係る軽量鉄骨の建物への取付構造を示す図であって、室内窓ユニットの上下の取り付け構造を示す断面図である。
【図１２】第２実施形態に係る軽量鉄骨の建物への取付構造を示す図であって、室内窓ユニットの左右の取り付け構造を示す断面図である。
【図１３】本発明の第３実施形態に係る室内窓ユニットを示す図であって、笠木が上部に配置された窓台に、室内窓ユニットを設置する場合を示す図である。
【図１４】本発明の第４実施形態に係る室内窓ユニットを示す姿図である。
【図１５】図１４のＥ−Ｅ線断面図である。
【図１６】図１４のＦ−Ｆ線断面図である。
【図１７】本発明の第５実施形態に係る室内窓ユニットを示す姿図である。
【図１８】第５実施形態に係る室内窓ユニットの天井及び床の取り付け構造の第１構造例を示す図である。
【図１９】第５実施形態に係る室内窓ユニットの天井及び床の取り付け構造の第２構造例を示す図である。
【図２０】第５実施形態に係る室内窓ユニットの天井及び床の取り付け構造の第３構造例を示す図である。
【発明を実施するための形態】
【００１６】
［第１実施形態］
以下、本発明の第１実施形態について、図面を参照しながら説明する。図１は、本発明の第１実施形態に係る室内窓ユニット２０の姿図である。図２は、開閉窓４０を構成する部分の縦断面図であって、図１のＡ−Ａ線断面図である。図３は、図２の部分拡大図である。図４は、開閉窓４０を構成する部分の横断面図であって、図１のＢ−Ｂ線断面図である。図５は、ＦＩＸ窓５０を構成する部分の縦断面図であって、図１のＣ−Ｃ線断面図である。図６は、図５の部分拡大図である。図７は、ＦＩＸ窓５０を構成する部分の横断面図であって、図１のＤ−Ｄ線断面図である。図８は、縦枠３１の構成を示す斜視図である。なお、本明細書において、「見付方向」とは、室内空間に配置された室内窓ユニット２０の横枠の長手方向（即ち、ガラスや障子の面内方向）を意味し、「見込方向」とは、ガラスや障子の厚さ方向（即ち、奥行き方向）を意味する。
【００１７】
図１に示すように、本実施形態における室内窓ユニット２０（建具）は、室内空間を仕切るように配置されるものであり、室内空間を仕切る仕切壁の開口に取り付けられたり、仕切りがない室内空間において床と天井との間に取り付けられる。
【００１８】
第１実施形態においては、図１に示すように、室内窓ユニット２０は、室内空間を仕切る仕切壁１１の開口１１ａに取り付けられている。室内窓ユニット２０は、窓ユニット２１が左右方向に３ユニット連続して並んで配設される。窓ユニット２１は、上段に開閉窓４０が配置され、下段にＦＩＸ窓５０が配置される。
【００１９】
室内窓ユニット２０において、枠体３０内に、開閉窓４０の障子を構成する開閉障子４２と、ＦＩＸ窓５０の障子を構成するＦＩＸ障子５２と、が納められる。枠体３０は、全体として矩形に枠組みされている。開閉窓４０及びＦＩＸ窓５０は、室内空間に配置される室内窓を構成する。
【００２０】
枠体３０は、図１に示すように、複数の縦枠３１と、複数の横枠３４と、を備える。
複数の縦枠３１は、室内窓ユニット２０における左右方向の両端に配置される端部縦枠３２（縦枠）と、両端の端部縦枠３２の間に配置される複数の連結縦枠３３（縦枠）と、を有する。縦枠３１は、仕切壁１１の開口１１ａにおいて縦通しで配置される。なお、本実施形態においては、端部縦枠３２及び連結縦枠３３について特に区別する必要がない場合には、単に「縦枠３１」と記載する。
複数の横枠３４は、上枠３５と、中枠３６と、下枠３７と、を有する。上枠３５、中枠３６及び下枠３７は、２つの縦枠３１の間において左右方向に延びて配置される。
縦枠３１及び横枠３４は、例えば、アルミ材料の形材で形成される。
【００２１】
以上のように構成される枠体３０においては、２つの縦枠３１の間において、上枠３５、中枠３６及び下枠３７により上下２段に区画され、中枠３６を介して、上段には開閉障子４２が納められ、下段にはＦＩＸ障子５２が納められることで、１つの窓ユニット２１が構成される。開閉障子４２とＦＩＸ障子５２との間に配置される中枠３６は、開閉窓４０及びＦＩＸ窓５０に共通の横枠である。
そして、本実施形態においては、室内窓ユニット２０は、窓ユニット２１が、左右方向に３ユニット連続して並んで配設されることで構成される。これにより、室内窓ユニット２０は、複数の窓が左右方向（横方向）に連続して配置された連窓を構成する。隣接する窓ユニット２１は、隣接する窓ユニット２１の連結縦枠３３（縦枠３１）同士が、長手方向に直交する方向に連結される。
【００２２】
次に、開閉窓４０及びＦＩＸ窓５０の構成について説明する。
開閉窓４０は、図１に示すように、窓ユニット２１の上段に配置される。開閉窓４０は、図１〜図４に示すように、開閉枠体４１（枠体）と、開閉枠体４１内に配置された開閉障子４２（障子）と、フリクションステー４４と、を備える。開閉窓４０は、開閉障子４２が開閉する開閉式である。
【００２３】
開閉枠体４１は、窓ユニット２１の枠体３０の一部により構成され、左右に離間して配置される縦枠３１（端部縦枠３２、連結縦枠３３）の上側の部分と、上枠３５と、中枠３６と、により矩形に構成される。
【００２４】
フリクションステー４４は、開閉障子４２の開口角度を任意な角度で保持可能である。フリクションステー４４は、図２〜図４に示すように、第１バー部材４４１と、第２バー部材４４２と、第１バー部材４４１及び第２バー部材４４２を連結する軸部材４４３とを有して構成され、一端部が開閉障子４２の下方側の部分に連結され、他端部が縦枠３１に連結される。
【００２５】
開閉式の開閉障子４２は、開閉枠体４１（枠体）内に配置される。開閉障子４２は、図１に示すように、開閉框体４２１と、開閉ガラス４２５と、開閉把持部４２７と、開閉枠体４１と開閉障子４２の上端部とを連結すると共に開閉障子４２の回転軸を構成する回転連結部４３と、端部キャップ６０と、を備える。開閉框体４２１は、図１〜図４に示すように、開閉ガラス４２５の上端を保持する開閉上框４２２と、開閉ガラス４２５の下端を保持する開閉下框４２３と、開閉ガラス４２５の左右の端部を保持する左右の開閉縦框４２４と、を備える。回転連結部４３は、図２〜図４に示すように、開閉障子４２を開閉枠体４１に対して回転可能に、開閉枠体４１の縦枠３１と開閉障子４２の上端部とを接続する。開閉把持部４２７は、開閉障子４２を開放・閉鎖する際に使用者に把持される。端部キャップ６０は、開閉障子４２の端部を覆うように配置される。
【００２６】
ＦＩＸ窓５０は、図１に示すように、窓ユニット２１の下段に配置される。ＦＩＸ窓５０は、図１、図５〜図７に示すように、ＦＩＸ枠体５１（枠体）と、ＦＩＸ枠体５１内に配置されたＦＩＸ障子５２（障子）と、を備えて構成される。ＦＩＸ枠体５１は、室内窓ユニット２０の枠体３０の一部により構成され、左右に離間して配置される縦枠３１（端部縦枠３２、連結縦枠３３）の下側の部分と、中枠３６と、下枠３７と、により矩形に構成される。
【００２７】
ＦＩＸ障子５２は、図１に示すように、ＦＩＸ框体５２１と、ＦＩＸガラス５２５と、を備える。ＦＩＸ框体５２１は、図１、図５〜図７に示すように、ＦＩＸガラス５２５の上端を保持するＦＩＸ上框５２２と、ＦＩＸガラス５２５の下端を保持するＦＩＸ下框５２３と、ＦＩＸガラス５２５の左右の端部を保持する左右のＦＩＸ縦框５２４と、を備える。
【００２８】
次に、枠体３０の詳細について説明する。枠体３０内には、開閉窓４０の開閉障子４２及びＦＩＸ窓５０のＦＩＸ障子５２が配置される。
【００２９】
複数の縦枠３１は、図１に示すように、室内窓ユニット２０の左右方向の両端部に配置される端部縦枠３２と、端部縦枠３２の間に配置される複数の連結縦枠３３と、を有する。室内窓ユニット２０の左右方向の両端部に配置される端部縦枠３２は、左右対称の形状を有する。窓ユニット２１が左右方向に隣接して配置される場合に、隣接する窓ユニット２１の連結縦枠３３同士は、連結される。
【００３０】
端部縦枠３２は、図１に示すように、室内空間を仕切る仕切壁１１の開口１１ａにおいて上下方向に通しで配置される。端部縦枠３２は、図４及び図７に示すように、凸形状ホロー部３２１と、延出部３２２と、突片３２４と、を有する。
【００３１】
凸形状ホロー部３２１は、図４及び図７に示すように、上下方向に見た場合に、略長方形状の長方形部分３２１ａと、長方形部分３２１ａの見付方向の外側（障子（開閉障子４２、ＦＩＸ障子５２）が配置されない側）の見込面から矩形状に外方に突出する凸形状の凸部３２１ｂと、を有する中空状に形成される。凸形状ホロー部３２１は、障子（開閉障子４２、ＦＩＸ障子５２）が配置される側（一方側、縦枠３１における内側）において、見込方向に延びる平面のみで構成される見込面である見込平面部３２１ｃを有する。見込平面部３２１ｃ及び凸部３２１ｂは、端部縦枠３２の上下方向の全域に形成される。
【００３２】
延出部３２２は、凸形状ホロー部３２１の見込平面部３２１ｃにおける見込方向の一方側（開閉障子４２が開く側と反対側）の端部において、凸形状ホロー部３２１の見込平面部３２１ｃから見付方向の内側に延出する。延出部３２２は、凸形状ホロー部３２１の一方側の端部において見込平面部３２１ｃから見付方向の内側に延出することで、開閉障子４２と端部縦枠３２とを連結する際に用いられる開閉側カバー部材４５（後述）や、ＦＩＸ障子５２と縦枠３１とを連結する際に用いられるＦＩＸ側先付けカバー部材５３（後述）を、外部から見えないように隠す。
【００３３】
突片３２４は、凸形状ホロー部３２１の見込平面部３２１ｃにおける見込方向の他方側（開閉障子４２が開く側）の端部において、延出部３２２よりも短い長さで、凸形状ホロー部３２１の見込平面部３２１ｃから見付方向の内側に延出する。突片３２４は、凸形状ホロー部３２１の他方側の端部において見込平面部３２１ｃから見付方向の内側に延出することで、開閉障子４２と端部縦枠３２との連結部分や、ＦＩＸ障子５２と端部縦枠３２との連結部分を、外部から見えないように隠す。
【００３４】
連結縦枠３３は、図１に示すように、室内空間を仕切る仕切壁１１の開口１１ａにおいて上下方向に通しで配置される。連結縦枠３３は、図４及び図７に示すように、ホロー部３３１と、延出部３３２と、突片３３４と、を有する。
【００３５】
ホロー部３３１は、図４及び図７に示すように、上下方向に見た場合に、略長方形状の長方形部分３３１ａを有する中空状に形成される。ホロー部３３１は、障子（開閉障子４２、ＦＩＸ障子５２）が配置される側（一方側、縦枠３１における内側）において、見込方向の延びる平面のみで構成される見込面である見込平面部３３１ｃを有する。また、ホロー部３３１は、障子（開閉障子４２、ＦＩＸ障子５２）が配置されない側（他方側、縦枠３１における外側）において、隣接する連結縦枠３３に対向して形成される平面状の見込面である連結平面部３３１ｄを有する。見込平面部３３１ｃ及び連結平面部３３１ｄは、連結縦枠３３の上下方向の全域に形成される。
【００３６】
延出部３３２は、ホロー部３３１の見込平面部３３１ｃにおける見込方向の一方側（開閉障子４２が開く側と反対側）の端部において、ホロー部３３１の見込平面部３３１ｃから見付方向の内側に延出する。延出部３３２は、ホロー部３３１の一方側の端部において見込平面部３３１ｃから見付方向の内側に延出することで、開閉障子４２と連結縦枠３３とを連結する際に用いられる開閉側カバー部材４５（後述）や、ＦＩＸ障子５２と連結縦枠３３とを連結する際に用いられるＦＩＸ側先付けカバー部材５３（後述）を、外部から見えないように隠す。
【００３７】
突片３３４は、ホロー部３３１の見込平面部３３１ｃにおける見込方向の他方側（開閉障子４２が開く側）の端部において、延出部３３２よりも短い長さで、ホロー部３３１の見込平面部３３１ｃから見付方向の内側に延出する。突片３３４は、ホロー部３３１の他方側の端部において見込平面部３３１ｃから見付方向の内側に延出することで、開閉障子４２と連結縦枠３３との連結部分や、ＦＩＸ障子５２と連結縦枠３３との連結部分を、外部から見えないように隠す。
【００３８】
開閉障子４２は、図４に示すように、Ｌ字状の開閉側カバー部材４５が縦枠３１の見込平面部３２１ｃ，３３１ｃに取り付けられた後に、開閉側カバー部材４５に取り付けられることで、開閉側カバー部材４５を介して、縦枠３１の見込平面部３２１ｃ，３３１ｃに固定される。これにより、開閉障子４２は、縦枠３１のみに固定される。なお、開閉障子４２は、横枠３４（上枠３５、中枠３６、下枠３７）には固定されていない。
【００３９】
開閉側カバー部材４５は、図４及び図８に示すように、断面視Ｌ字状の板材で形成され、上下方向に延びており、見込平面部３２１ｃ，３３１ｃに沿って配置される開閉側見込板４５１と、縦枠３１の延出部３２２，３３２の開閉障子４２側の面に沿って配置される開閉側見付板４５２と、を有する。
【００４０】
開閉障子４２は、開閉側カバー部材４５が縦枠３１に取り付けられた状態において、開閉側カバー部材４５及び縦枠３１に、開閉障子４２の回転連結部４３を取り付けることで、窓ユニット２１の上段に取り付けられる。
【００４１】
ＦＩＸ障子５２は、図７に示すように、ＦＩＸ障子５２の見付方向の端部がＬ字状のＦＩＸ側先付けカバー部材５３（カバー部材、第１カバー部材）及びＬ字状のＦＩＸ側後付けカバー部材５４（カバー部材、第２カバー部材）に挟まれた状態で、縦枠３１の見込平面部３２１ｃ，３３１ｃに固定される。これにより、ＦＩＸ障子５２は、縦枠３１のみに固定される。なお、ＦＩＸ障子５２は、横枠３４（上枠３５、中枠３６、下枠３７）には固定されていない。
【００４２】
ＦＩＸ側先付けカバー部材５３は、図７及び図８に示すように、断面視Ｌ字状の板材で形成され、上下方向に延びており、見込平面部３２１ｃ，３３１ｃに沿って配置される先付け側見込板５３１と、縦枠３１の延出部３２２，３３２のＦＩＸ障子５２側の面に沿って配置される先付け側見付板５３２と、を有する。
【００４３】
ＦＩＸ側後付けカバー部材５４は、図７に示すように、断面視Ｌ字状の板材で形成され、上下方向に延びており、見込平面部３２１ｃ，３３１ｃに沿って配置される後付け側見込板５４１と、縦枠３１の延出部３２２，３３２のＦＩＸ障子５２側の面に沿って配置される後付け側見付板５４２と、を有する。
【００４４】
ＦＩＸ障子５２は、ＦＩＸ側先付けカバー部材５３が縦枠３１に取り付けられた状態において、ＦＩＸ側先付けカバー部材５３にＦＩＸ障子５２を配置して、ＦＩＸ側先付けカバー部材５３とＦＩＸ側後付けカバー部材５４との間にＦＩＸ障子５２の見付方向の端部を挟んだ状態で、ＦＩＸ側後付けカバー部材５４を縦枠３１に固定することで、窓ユニット２１の下段に取り付けられる。
【００４５】
縦枠３１（端部縦枠３２及び連結縦枠３３）には、所定の位置にネジ孔やネジ挿通穴が形成される。図８に示すように、ネジ孔やネジ挿通穴は、窓ユニット２１の上段及び下段の同じ位置に、同じ数及び同じ形状で形成される。
【００４６】
例えば、端部縦枠３２の見込平面部３２１ｃにおいて、図８に示すように、上段の部分及び下段の部分には、それぞれ、上方側から下方側に向けて順に、横枠３４を端部縦枠３２に固定するための一対のネジ孔３０１、開閉窓４０の回転連結部４３の軸受４３１が挿入される挿入穴３０２、端部縦枠３２を仕切壁１１に固定するためのネジ部材が挿通されるネジ挿通穴３０３、開閉側カバー部材４５を端部縦枠３２に固定するためのネジ孔３０４、ＦＩＸ側後付けカバー部材５４を端部縦枠３２に固定するためのネジ孔３０５、フリクションステー４４の取付部の上部側の部分を固定するためのネジ孔３０６、フリクションステー４４の移動規制ピンを取り付けるための取付穴３０７、ＦＩＸ側先付けカバー部材５３を端部縦枠３２に固定するためのネジ孔３０８、フリクションステー４４の取付部の下部側の部分を固定するためのネジ孔３０９、端部縦枠３２を仕切壁１１に固定するためのネジ部材が挿通されるネジ挿通穴３１０が形成されている。
なお、連結縦枠３３においても、図示を省略するが、同様の位置に同じネジ孔やネジ挿通穴が形成される。
【００４７】
以上により、窓ユニット２１の上段及び下段において、同じ位置に同じ数及び同じ形状でネジ孔やネジ挿通穴を形成することにより、種類の異なる障子を、縦枠３１の上段及び下段に固定可能である。これにより、窓ユニット２１の上段又は下段のいずれにも、種類の異なる障子を配置できる。
【００４８】
開閉障子４２を縦枠３１に取り付ける場合には、図８に示すように、Ｌ字状の開閉側カバー部材４５を、例えば、上段において、端部縦枠３２の見込平面部３２１ｃに固定する。これにより、ネジ挿通穴３０３、ネジ孔３０５、ネジ挿通穴３１０は、開閉側カバー部材４５により覆われる。開閉側カバー部材４５は、縦枠３１を仕切壁１１に固定した後のネジ挿通穴３０３及びネジ挿通穴３１０を覆うと共に、ＦＩＸ障子５２を取り付ける場合に必要となるがその他の場合には不必要となるネジ孔３０５を覆う。
【００４９】
ＦＩＸ障子５２を縦枠３１に取り付ける場合には、図８に示すように、ＦＩＸ側先付けカバー部材５３を、例えば、下段において、端部縦枠３２の見込平面部３２１ｃに固定する。これにより、挿入穴３０２、ネジ挿通穴３０３、ネジ孔３０６、ネジ孔３０９、ネジ挿通穴３１０は、ＦＩＸ側先付けカバー部材５３により覆われる。ＦＩＸ側先付けカバー部材５３は、縦枠３１を仕切壁１１に固定した後のネジ挿通穴３０３及びネジ挿通穴３１０を覆うと共に、開閉障子４２を取り付ける場合に必要となるがその他の場合には不必要となる挿入穴３０２、ネジ孔３０６、ネジ孔３０９を覆う。
よって、開閉窓又はＦＩＸ窓を設置する際に必要のないネジ孔やネジ挿通穴は、開閉障子４２を縦枠３１に取り付ける場合に用いられるＬ字状の開閉側カバー部材４５や、ＦＩＸ障子５２を縦枠３１に取り付ける場合に用いられるＦＩＸ側先付けカバー部材５３で覆われる。従って、意匠性を向上できる。
【００５０】
以上のように構成される縦枠３１は、図４及び図７に示すように、窓ユニット２１における上段及び下段のいずれにおいても、平面のみで構成される見込平面部３２１ｃ，３３１ｃを有する。そのため、開閉障子４２及びＦＩＸ障子５２のいずれも、取り付けることができる。本実施形態においては、開閉側カバー部材４５を用いて、上段に開閉障子４２を配置し、ＦＩＸ側先付けカバー部材５３及びＦＩＸ側後付けカバー部材５４を用いて、下段にＦＩＸ障子５２を配置している。
【００５１】
なお、縦枠３１は、平面のみで構成される見込平面部３２１ｃ，３３１ｃを有するため、上段及び下段に配置される窓の種類は、本実施形態に限定されない。例えば、下段に開閉窓４０を設置し、上段にＦＩＸ窓５０を設置してもよいし、上段及び下段の両方に開閉窓４０を設置してもよいし、上段及び下段の両方にＦＩＸ窓５０を設置してもよい。窓ユニット２１が複数段で構成されている場合においても、窓ユニット２１が左右方向に連窓されていても、見込平面部３２１ｃ，３３１ｃを有するため、窓ユニット２１におけるいずれの段にも、任意の種類の窓を設置することができる。
【００５２】
端部縦枠３２は、図４及び図７に示すように、見付方向における障子（開閉障子４２、ＦＩＸ障子５２）と反対側に突出する凸部３２１ｂにおいて、端部縦枠３２の側方に配置される所定厚さの仕切壁１１に取り付けられる。仕切壁１１は、図４及び図７に示すように、開口１１ａの側部において、側部構造体１１３を備える。側部構造体１１３は、柱材１１３ａと、柱材１１３ａの室内窓ユニット２０側に配置されるかい木１１３ｂと、柱材１１３ａとかい木１１３ｂの表面を覆う壁面ボード１１３ｃと、を備えて構成される。柱材１１３ａは、見込方向に幅を有して構成される。
【００５３】
端部縦枠３２は、図４及び図７に示すように、壁面ボード１１３ｃが取り付けられる前に、凸部３２１ｂの見込方向の先端が、仕切壁１１のかい木１１３ｂの見込方向に延びる面における見込方向の中央近傍に当接された状態で、かい木１１３ｂ及び柱材１１３ａにネジ固定されることで、仕切壁１１に取り付けられる。端部縦枠３２の凸部３２１ｂをかい木１１３ｂ及び柱材１１３ａに固定した後に、壁面ボード１１３ｃは、凸部３２１ｂの見付面に壁面ボード１１３ｃの端部１１３ｄが当接又は近接した状態で、長方形部分３２１ａとかい木１１３ｂとの間に取り付けられると共に、柱材１１３ａ及びかい木１１３ｂの表面を覆うように取り付けられる。これにより、壁面ボード１１３ｃは、仕切壁１１に固定される凸部３２１ｂを隠すことができると共に、柱材１１３ａとかい木１１３ｂの表面を覆うことができる。端部縦枠３２は、凸部３２１ｂが壁面ボード１１３ｃで隠された状態で仕切壁１１に固定されているため、見付方向の幅を小さくでき、細い見付幅の枠となる。また、端部縦枠３２は、凸部３２１ｂが壁面ボード１１３ｃで隠されており、凹凸が外部に露出されないため、意匠性を向上できる。
【００５４】
また、隣接する窓ユニット２１の連結縦枠３３同士は、図４及び図７に示すように、連結平面部３３１ｄ同士が対向した状態で当接して配置され、互いが連結される。連結縦枠３３同士は、連結平面部３３１ｄが対向して当接した状態で、連結縦枠３３のホロー部３３１の当接する板材同士が、ネジ部材３３ａにより連結される。
【００５５】
従来、窓ユニット同士を連結して連窓とする場合に、連窓のために接続される隣接する窓ユニットの縦枠同士を直接接続するのではなく、方立を介して接続していた。方立の見込方向の寸法は、窓ユニット２１を構成する縦枠の見込方向の寸法よりも大きくなることがあり、方立の見込方向の寸法に合わせて、連窓した室内窓ユニットの見込方向の寸法も大きくなっていた。これに対して、本発明においては、連結縦枠３３同士を直接連結できるため、連窓の場合に必要な方立を必要しない。よって、連窓とした室内窓ユニット２０の見込方向の寸法を小さくすることができる。
【００５６】
連結縦枠３３同士は、当接して配置された場合に、連結部分において、見込方向の両端部に形成されて見付方向に対向する角部同士により、連結縦枠３３の長手方向に直交する断面形状がＶ字状のＶ溝３３ｂが形成される。Ｖ溝３３ｂは、外方側に向かうに従って開放するＶ字状に形成される。Ｖ溝３３ｂは、連結縦枠３３のホロー部３３１の見込方向の両端部において角部を傾斜させて面取りし、見付方向に対向することで形成される。これにより、連結縦枠３３同士の見込方向の位置がずれた場合でも、連結縦枠３３同士の連結部分を視認しても、一方の連結縦枠３３に対する他方の連結縦枠３３の位置ずれを分かり難くすることができる。これにより、意匠性を向上できる。
【００５７】
複数の横枠３４は、図１に示すように、上枠３５と、中枠３６と、下枠３７と、を有する。
上枠３５は、２つの縦枠３１の間において、縦枠３１の上端部に配置され、左右方向に延びて形成される。
上枠３５は、開口１１ａの上部に配置される仕切壁１１に固定されている。
上枠３５は、図３に示すように、凸形状ホロー部３５１と、下方延出部３５２と、を有する。
【００５８】
凸形状ホロー部３５１は、図３に示すように、左右方向に見た場合に、略長方形状の長方形部分３５１ａと、長方形部分３５１ａの見付方向の外側（開閉障子４２が配置されない側）の見込面から矩形状に外方に突出する凸形状の凸部３５１ｂと、を有する中空状に形成される。凸形状ホロー部３５１は、開閉障子４２が配置される側（上枠３５における下方側）において、見込方向に延びる下面部３５１ｃを有する。下面部３５１ｃ及び凸部３５１ｂは、上枠３５の左右方向の全域に形成される。
【００５９】
下方延出部３５２は、凸形状ホロー部３５１の下面部３５１ｃにおける見込方向の一方側（開閉障子４２が開く側と反対側）の端部において、凸形状ホロー部３５１の下面部３５１ｃから下方側に延出する。下方延出部３５２は、凸形状ホロー部３５１の一方側の端部において下面部３５１ｃから下方側に延出するため、凸形状ホロー部３５１の下面部３５１ｃと障子（開閉障子４２）との境界部分を外部から見えなくする目隠し効果を有する。
【００６０】
上枠３５は、見付方向における開閉障子４２と反対側の上方に突出する凸部３５１ｂにおいて、上枠３５の上方に配置される所定厚さの仕切壁１１に取り付けられる。仕切壁１１は、図３に示すように、開口１１ａの上部において、まぐさ構造体１１１を備える。まぐさ構造体１１１は、まぐさ１１１ａと、まぐさ１１１ａの下方側に配置されるかい木１１１ｂと、まぐさ１１１ａとかい木１１１ｂの表面を覆う壁面ボード１１１ｃと、を備えて構成される。まぐさ１１１ａは、見込方向に幅を有して構成される。
【００６１】
上枠３５は、図３に示すように、壁面ボード１１１ｃが取り付けられる前に、凸部３５１ｂの上端が、仕切壁１１のかい木１１１ｂの見込方向に延びる面における見込方向の中央近傍に当接された状態で、かい木１１１ｂ及びまぐさ１１１ａにネジ固定されることで、仕切壁１１に取り付けられる。上枠３５の凸部３５１ｂをかい木１１１ｂ及びまぐさ１１１ａに固定した後に、壁面ボード１１１ｃは、凸部３５１ｂの見付面に壁面ボード１１１ｃの端部１１１ｄが当接又は近接した状態で、長方形部分３５１ａとかい木１１１ｂとの間に取り付けられると共に、まぐさ１１１ａ及びかい木１１１ｂの表面を覆うように取り付けられる。これにより、壁面ボード１１１ｃは、仕切壁１１に固定される凸部３５１ｂを隠すことができると共に、まぐさ１１１ａとかい木１１１ｂの表面を覆うことができる。上枠３５は、凸部３５１ｂが壁面ボード１１１ｃで隠された状態で仕切壁１１に固定されているため、見付方向の幅を小さくでき、細い見付幅の枠となる。また、上枠３５は、凸部３５１ｂが壁面ボード１１１ｃで隠されており、凹凸が外部に露出されないため、意匠性を向上できる。
【００６２】
下枠３７は、図１に示すように、２つの縦枠３１の間において、縦枠３１の下端部に配置され、左右方向に延びて形成される。
下枠３７は、開口１１ａの下部に配置される仕切壁１１に固定されている。
下枠３７は、図６に示すように、凸形状ホロー部３７１と、上方延出部３７２と、を有する。
【００６３】
凸形状ホロー部３７１は、図６に示すように、左右方向に見た場合に、略長方形状の長方形部分３７１ａと、長方形部分３７１ａの見付方向の外側（ＦＩＸ障子５２が配置されない側）の見込面から矩形状に外方に突出する凸形状の凸部３７１ｂと、を有する中空状に形成される。凸形状ホロー部３７１は、ＦＩＸ障子５２が配置される側（下枠３７における上方側）において、見込方向に延びる上面部３７１ｃを有する。上面部３７１ｃ及び凸部３７１ｂは、下枠３７の左右方向の全域に形成される。
【００６４】
上方延出部３７２は、凸形状ホロー部３７１の上面部３７１ｃにおける見込方向の一方側（開閉障子４２が開く側と反対側）の端部において、凸形状ホロー部３７１の上面部３７１ｃから上方側に延出する。上方延出部３７２は、凸形状ホロー部３７１の一方側の端部において上面部３７１ｃから上方側に延出するため、凸形状ホロー部３７１の上面部３７１ｃと障子（ＦＩＸ障子５２）との境界部分を外部から見えなくする目隠し効果を有する。
【００６５】
下枠３７は、見付方向におけるＦＩＸ障子５２と反対側の下方に突出する凸部３７１ｂにおいて、下枠３７の下方に配置される所定厚さの仕切壁１１に取り付けられる。仕切壁１１は、図６に示すように、開口１１ａの下部において、窓台構造体１１２を備える。窓台構造体１１２は、窓台１１２ａと、窓台１１２ａの上方側に配置されるかい木１１２ｂと、窓台１１２ａとかい木１１２ｂの表面を覆う壁面ボード１１２ｃと、を備えて構成される。窓台１１２ａは、見込方向に幅を有して構成される。
【００６６】
下枠３７は、図６に示すように、壁面ボード１１２ｃが取り付けられる前に、凸部３７１ｂの下端が、仕切壁１１のかい木１１２ｂの見込方向に延びる面における見込方向の中央近傍に当接された状態で、かい木１１２ｂ及び窓台１１２ａにネジ固定されることで、仕切壁１１に取り付けられる。下枠３７の凸部３７１ｂをかい木１１２ｂ及び窓台１１２ａに固定した後に、壁面ボード１１２ｃは、凸部３７１ｂの見付面に壁面ボード１１２ｃの端部１１２ｄが当接又は近接した状態で、長方形部分３７１ａとかい木１１２ｂとの間に取り付けられると共に、窓台１１２ａ及びかい木１１２ｂの表面を覆うように取り付けられる。これにより、壁面ボード１１２ｃは、仕切壁１１に固定される凸部３７１ｂを隠すことができると共に、窓台１１２ａとかい木１１２ｂの表面を覆うことができる。下枠３７は、凸部３７１ｂが壁面ボード１１２ｃで隠された状態で仕切壁１１に固定されているため、見付方向の幅を小さくでき、細い見付幅の枠となる。また、下枠３７は、凸部３７１ｂが壁面ボード１１２ｃで隠されており、凹凸が外部に露出されないため、意匠性を向上できる。
【００６７】
中枠３６は、図１に示すように、２つの縦枠３１の間において、縦枠３１の上下方向の途中に配置され、上下方向に並んで配置される開閉障子４２及びＦＩＸ障子５２の間において、左右方向に延びて形成される。中枠３６は、見付方向の両端部が縦枠３１に固定される。中枠３６は、中枠３６を上下方向に挟んで配置される開閉障子４２及びＦＩＸ障子５２において、共通の横枠（上段に配置される開閉窓４０の下側の下枠、下段に配置されるＦＩＸ窓５０の上側の上枠）として構成される。
【００６８】
中枠３６は、図３に示すように、ホロー部３６１と、上側延出部３６２と、下側延出部３６３と、を有する。
【００６９】
ホロー部３６１は、図３に示すように、左右方向に見た場合に、略長方形状の長方形部分３６１ａを有する中空状に形成される。ホロー部３６１は、障子（開閉障子４２、ＦＩＸ障子５２）が配置される上方側及び下方側おいて、上面及び下面に、見込方向に延びる上面部３６１ｃ及び下面部３６１ｄを有する。上面部３６１ｃ及び下面部３６１ｄは、中枠３６の左右方向の全域に形成される。
【００７０】
上側延出部３６２及び下側延出部３６３は、ホロー部３６１の上面部３６１ｃ及び下面部３６１ｄにおける見込方向の一方側（開閉障子４２が開く側と反対側）の端部において、ホロー部３６１の上面部３６１ｃ及び下面部３６１ｄから、上方側及び下方側に延出する。これにより、上側延出部３６２は、ホロー部３６１の一方側の端部において上面部３６１ｃから上方側に延出するため、ホロー部３６１の上面部３６１ｃと障子（開閉障子４２）との境界部分を外部から見えなくする目隠し効果を有する。また、下側延出部３６３は、ホロー部３６１の一方側の端部において下面部３６１ｄから下方側に延出するため、ホロー部３６１の下面部３６１ｄと障子（ＦＩＸ障子５２）との境界部分を外部から見えなくする目隠し効果を有する。
【００７１】
次に、枠体３０に開閉窓４０の開閉障子４２及びＦＩＸ窓５０のＦＩＸ障子５２を取り付ける手順について説明する。図９は、ＦＩＸ障子５２を枠体３０に取り付ける施工手順を説明する図である。図１０は、開閉障子４２を枠体３０に取り付ける手順を説明する図である。なお、本説明においては、端部縦枠３２にＦＩＸ障子５２又は開閉障子４２を取り付ける手順について説明しているが、連結縦枠３３の場合も同様である。
【００７２】
ＦＩＸ障子５２を枠体３０の端部縦枠３２に取り付ける手順について説明する。
まず、窓ユニット２１の下段において、図９に示すように、２つの端部縦枠３２の間に、見込方向の他方側（開閉障子４２が開く側）から一対のＦＩＸ側先付けカバー部材５３を挿入して、端部縦枠３２の見込平面部３２１ｃに、ＦＩＸ側先付けカバー部材５３をネジ固定により取り付ける（第１カバー取付工程）。
【００７３】
次に、ＦＩＸ障子５２を、一対のＦＩＸ側先付けカバー部材５３に配置する。ここで、本実施形態においては、ＦＩＸ障子５２の見付方向の両端部の一方側の面には、緩衝材５２６が貼り付けられており、他方側の面には、緩衝材５２７が貼り付けられている。この状態で、ＦＩＸ側先付けカバー部材５３の先付け側見付板５３２の他方側の面に、ＦＩＸ障子５２に貼り付けられた緩衝材５２６を介して、ＦＩＸ障子５２の見付方向の端部の一方側の面を配置することで、一対のＦＩＸ側先付けカバー部材５３にＦＩＸ障子５２を配置する（面材配置工程）。
【００７４】
続けて、一対のＦＩＸ側後付けカバー部材５４の後付け側見付板５４２を、ＦＩＸ障子５２に貼り付けられた緩衝材５２７を介して、ＦＩＸ障子５２の見付方向の端部の他方側の面に押し付ける。そして、ＦＩＸ側先付けカバー部材５３の先付け側見付板５３２とＦＩＸ側後付けカバー部材５４の後付け側見付板５４２との間にＦＩＸ障子５２の見付方向の端部を挟んだ状態で、ＦＩＸ障子５２を端部縦枠３２に固定するように、一対のＦＩＸ側後付けカバー部材５４を、ＦＩＸ側先付けカバー部材５３及び端部縦枠３２の見込平面部３２１ｃにネジ固定により取り付ける（第２カバー取付工程）。これにより、ＦＩＸ障子５２を、窓ユニット２１の下段に取り付けることができる。
【００７５】
次に、開閉障子４２を枠体３０の端部縦枠３２に取り付ける手順について説明する。
まず、窓ユニット２１の上段において、図１０に示すように、２つの端部縦枠３２の間に、見込方向の他方側（開閉障子４２が開く側）から一対の開閉側カバー部材４５を挿入して、端部縦枠３２の見込平面部３２１ｃに、開閉側カバー部材４５をネジ固定する。
次に、軸受４３１を、開閉側カバー部材４５及び端部縦枠３２に取り付けると共に、フリクションステー４４を取り付けるための取付スペーサ部材４４４を、開閉側カバー部材４５及び端部縦枠３２に取り付ける。
続けて、開閉障子４２における回転連結部４３を軸受４３１に挿入すると共に、開閉障子４２におけるフリクションステー４４を取付スペーサ部材４４４及び端部縦枠３２に固定することで、開閉障子４２を、窓ユニット２１の上段に取り付けることができる。
なお、本実施形態においては、緩衝材５２７，５２８をＦＩＸ障子５２に貼り付けて構成したが、これに限定されない。例えば、緩衝材を、ＦＩＸ側先付けカバー部材５３及びＦＩＸ側後付けカバー部材５４に貼り付けて構成してもよい。
【００７６】
以上説明してきたように、本実施形態によれば、以下の効果が奏される。
本実施形態の室内窓ユニット２０においては、上枠３５、下枠３７左右の縦枠３１（端部縦枠３２、連結縦枠３３）を有する枠体３０と、枠体３０内に配置される開閉障子４２又はＦＩＸ障子５２と、を備え、縦枠３１の障子（開閉障子４２、ＦＩＸ障子５２）側の見込平面部３２１ｃ，３３１ｃが平面のみで構成される。そのため、縦枠３１の見込平面部３２１ｃ，３３１ｃにおいては、縦枠３１には、障子（開閉障子４２、ＦＩＸ障子５２）の種類に応じた加工が施されていないため、異なる種類の障子を容易に設置できる。
【００７７】
また、本実施形態においては、開閉障子４２又はＦＩＸ障子５２は、縦枠３１のみに固定される。これにより、開閉障子４２又はＦＩＸ障子５２を縦枠３１に固定する際に、縦枠３１以外の部材の形状等には依存しないため、縦枠３１の見込平面部３２１ｃ，３３１ｃが平面のみであるという構成だけで、異なる種類の障子（開閉障子４２、ＦＩＸ障子５２）を、室内窓ユニット２０に容易に設置できる。
【００７８】
また、本実施形態においては、２つのカバー部材（例えば、ＦＩＸ側先付けカバー部材５３、ＦＩＸ側後付けカバー部材５４）は、障子（開閉障子４２、ＦＩＸ障子５２）の見付方向の端部を挟んだ状態で、障子（開閉障子４２、ＦＩＸ障子５２）を縦枠３１に固定する。これにより、２つのカバー部材で障子の端部を挟んだ状態で、障子を縦枠３１に固定できるため、簡易な構成で、障子を容易に縦枠３１に固定できる。
【００７９】
また、本実施形態においては、縦枠３１の障子（開閉障子４２、ＦＩＸ障子５２）とは反対側の見込面は、外方に突出する凸形状に形成される。これにより、端部縦枠３２（縦枠３１）は、凸部３２１ｂを仕切壁１１に挿入することで仕切壁１１に取り付けられるため、見付方向の幅を小さくでき、細い見付幅の枠となる。また、端部縦枠３２（縦枠３１）は、凸部３２１ｂが仕切壁１１に挿入した状態で取り付けられるため、凸部３２１ｂを隠した状態で、仕切壁１１に取り付けられる。これにより、凹凸が外部に露出されないため、意匠性を向上できる。
【００８０】
また、本実施形態においては、連窓における隣接する窓の連結縦枠３３同士は、連結縦枠３３の長手方向に直交する方向に連結される。これにより、連結縦枠３３同士を直接連結できるため、連窓の場合に必要な方立を必要しない。よって、連窓とした室内窓ユニット２０の見込方向の寸法を小さくすることができる。
【００８１】
また、本実施形態においては、連結縦枠３３同士が連結された連結部分において、連結縦枠３３の長手方向に直交する断面形状がＶ字状のＶ溝３３ｂを有する。これにより、連結縦枠３３同士の見込方向の位置がずれた場合でも、連結縦枠３３同士の連結部分を視認しても、一方の連結縦枠３３に対する他方の連結縦枠３３の位置ずれを分かり難くすることができる。これにより、意匠性を向上できる。
【００８２】
また、本実施形態の室内窓ユニット２０の施工方法においては、縦枠３１にＦＩＸ側先付けカバー部材５３を取り付ける第１カバー取付工程と、縦枠３１に取り付けられたＦＩＸ側先付けカバー部材５３に障子（開閉障子４２、ＦＩＸ障子５２）の見付方向の端部を配置する面材配置工程と、ＦＩＸ側先付けカバー部材５３に配置された障子（開閉障子４２、ＦＩＸ障子５２）の見付方向の端部をＦＩＸ側先付けカバー部材５３とＦＩＸ側後付けカバー部材５４で挟んだ状態で障子（開閉障子４２、ＦＩＸ障子５２）を縦枠３１に固定するように、縦枠３１にＦＩＸ側後付けカバー部材５４を取り付ける第２カバー取付工程と、を備える。そのため、ＦＩＸ側先付けカバー部材５３及びＦＩＸ側後付けカバー部材５４により障子（開閉障子４２、ＦＩＸ障子５２）の見付方向の端部を挟み込んだ状態で、障子（開閉障子４２、ＦＩＸ障子５２）を縦枠３１に容易に取り付けることができる。
【００８３】
［第２実施形態］
次に、本発明の第２実施形態について説明する。なお、第２実施形態以降の説明において、第１実施形態と共通する構成については同一の符号を付し、対応する構成については同一の規則性に従って符号を付し、適宜その説明を省略する。
【００８４】
第２実施形態は、軽量鉄骨の建物において、仕切壁１２の開口１２ａに、室内窓ユニット２０が取り付けられる場合である。図１１は、第２実施形態に係る軽量鉄骨の建物への取付構造を示す図であって、室内窓ユニット２０の上下の取り付け構造を示す断面図である。図１２は、第２実施形態に係る軽量鉄骨の建物への取付構造を示す図であって、室内窓ユニット２０の左右の取り付け構造を示す断面図である。
【００８５】
図１１に示すように、第２実施形態において、室内窓ユニット２０は、軽量鉄骨の建物において、仕切壁１２の開口１２ａに取り付けられている。第２実施形態は、軽量鉄骨の建物における仕切壁１２に室内窓ユニット２０を設置した点において、第１実施形態と異なる。第２実施形態の室内窓ユニット２０は、第１実施形態の室内窓ユニット２０と同様の構成を有する。
【００８６】
上枠３５は、図１１に示すように、見付方向における開閉障子４２と反対側の上方に突出する凸部３５１ｂにおいて、上枠３５の上方に配置される所定厚さの仕切壁１２に取り付けられる。仕切壁１２は、開口１２ａの上部において、軽量鉄骨開口上部構造体１２１を備える。軽量鉄骨開口上部構造体１２１は、上方が開放した略Ｃ字形状の板状の上部ランナー１２１ａと、上部ランナー１２１ａの下方側に配置されるかい木１２１ｂと、上部ランナー１２１ａとかい木１２１ｂの表面を覆う壁面ボード１２１ｃと、を備えて構成される。上部ランナー１２１ａは、見込方向に幅を有して構成される。
【００８７】
上枠３５は、図１１に示すように、壁面ボード１２１ｃが取り付けられる前に、凸部３５１ｂの上端が、仕切壁１２のかい木１２１ｂの見込方向に延びる面における見込方向の中央近傍に当接された状態で、かい木１２１ｂ及び上部ランナー１２１ａにネジ固定されることで、仕切壁１２に取り付けられる。上枠３５の凸部３５１ｂをかい木１２１ｂ及び上部ランナー１２１ａに固定した後に、壁面ボード１２１ｃは、凸部３５１ｂの見付面に壁面ボード１２１ｃの端部１２１ｄが当接又は近接した状態で、長方形部分３５１ａとかい木１２１ｂとの間に取り付けられると共に、上部ランナー１２１ａ及びかい木１２１ｂの表面を覆うように取り付けられる。これにより、壁面ボード１２１ｃは、仕切壁１２に固定される凸部３５１ｂを隠すことができると共に、上部ランナー１２１ａとかい木１２１ｂの表面を覆うことができる。上枠３５は、凸部３５１ｂが壁面ボード１２１ｃで隠された状態で仕切壁１２に固定されているため、見付方向の幅を小さくでき、細い見付幅の枠となる。また、上枠３５は、凸部３５１ｂが壁面ボード１２１ｃで隠されており、凹凸が外部に露出されないため、意匠性を向上できる。
【００８８】
下枠３７は、見付方向におけるＦＩＸ障子５２と反対側の下方に突出する凸部３７１ｂにおいて、下枠３７の下方に配置される所定厚さの仕切壁１２に取り付けられる。仕切壁１２は、図１１に示すように、開口１２ａの下部において、軽量鉄骨開口下部構造体１２２を備える。軽量鉄骨開口下部構造体１２２は、下方が開放した略Ｃ字形状の板状の下部ランナー１２２ａと、下部ランナー１２２ａの上方側に配置されるかい木１２２ｂと、下部ランナー１２２ａとかい木１２２ｂの表面を覆う壁面ボード１２２ｃと、を備えて構成される。下部ランナー１２２ａは、見込方向に幅を有して構成される。
【００８９】
下枠３７は、図１１に示すように、壁面ボード１２２ｃが取り付けられる前に、凸部３７１ｂの下端が、仕切壁１２のかい木１２２ｂの見込方向に延びる面における見込方向の中央近傍に当接された状態で、かい木１２２ｂ及び下部ランナー１２２ａにネジ固定されることで、仕切壁１２に取り付けられる。下枠３７の凸部３７１ｂをかい木１２２ｂ及び下部ランナー１２２ａに固定した後に、壁面ボード１２２ｃは、凸部３７１ｂの見付面に壁面ボード１２２ｃの端部１２２ｄが当接又は近接した状態で、長方形部分３７１ａとかい木１２２ｂとの間に取り付けられると共に、下部ランナー１２２ａ及びかい木１２２ｂの表面を覆うように取り付けられる。これにより、壁面ボード１２２ｃは、仕切壁１２に固定される凸部３７１ｂを隠すことができると共に、下部ランナー１２２ａとかい木１２２ｂの表面を覆うことができる。下枠３７は、凸部３７１ｂが壁面ボード１２２ｃで隠された状態で仕切壁１２に固定されているため、見付方向の幅を小さくでき、細い見付幅の枠となる。また、下枠３７は、凸部３７１ｂが壁面ボード１２２ｃで隠されており、凹凸が外部に露出されないため、意匠性を向上できる。
【００９０】
端部縦枠３２は、図１２に示すように、見付方向における障子（開閉障子４２、ＦＩＸ障子５２）と反対側に突出する凸部３２１ｂにおいて、端部縦枠３２の側方に配置される所定厚さの仕切壁１２に取り付けられる。仕切壁１２は、開口１２ａの側部において、軽量鉄骨開口側部構造体１２３を備える。軽量鉄骨開口側部構造体１２３は、障子（開閉障子４２、ＦＩＸ障子５２）と反対側の側方が開放した略Ｃ字形状の板状のＣ型チャンネル１２３ａと、Ｃ型チャンネル１２３ａの障子（開閉障子４２、ＦＩＸ障子５２）側の側方に配置されるかい木１２３ｂと、Ｃ型チャンネル１２３ａとかい木１２３ｂの表面を覆う壁面ボード１２３ｃと、を備えて構成される。Ｃ型チャンネル１２３ａは、見込方向に幅を有して構成される。
【００９１】
端部縦枠３２は、図１２に示すように、壁面ボード１２３ｃが取り付けられる前に、凸部３２１ｂの見込方向の先端が、仕切壁１２のかい木１２３ｂの見込方向に延びる面における見込方向の中央近傍に当接された状態で、かい木１２３ｂ及びＣ型チャンネル１２３ａにネジ固定されることで、仕切壁１２に取り付けられる。端部縦枠３２の凸部３２１ｂをかい木１２３ｂ及びＣ型チャンネル１２３ａに固定した後に、壁面ボード１２３ｃは、凸部３２１ｂの見付面に壁面ボード１２３ｃの端部１２３ｄが当接又は近接した状態で、長方形部分３２１ａとかい木１２３ｂとの間に取り付けられると共に、Ｃ型チャンネル１２３ａ及びかい木１２３ｂの表面を覆うように取り付けられる。これにより、壁面ボード１２３ｃは、仕切壁１２に固定される凸部３２１ｂを隠すことができると共に、Ｃ型チャンネル１２３ａとかい木１２３ｂの表面を覆うことができる。端部縦枠３２は、凸部３２１ｂが壁面ボード１２３ｃで隠された状態で仕切壁１２に固定されているため、見付方向の幅を小さくでき、細い見付幅の枠となる。また、端部縦枠３２は、凸部３２１ｂが壁面ボード１２３ｃで隠されており、凹凸が外部に露出されないため、意匠性を向上できる。
【００９２】
［第３実施形態］
次に、本発明の第３実施形態について説明する。図１３は、本発明の第３実施形態に係る室内窓ユニット２０Ａを示す図であって、笠木１１４ｂが上部に配置された窓台１１４ａに、室内窓ユニット２０Ａを設置する場合を示す図である。
【００９３】
第３実施形態は、笠木１１４ｂが上部に配置された窓台１１４ａに、室内窓ユニット２０Ａを設置する場合である。第３実施形態の室内窓ユニット２０Ａは、第１実施形態の室内窓ユニット２０と比べて、下枠３７Ａの構成が異なる。
【００９４】
下枠３７Ａは、図１３に示すように、ホロー部３７１Ａと、上方延出部３７２と、を有する。
ホロー部３７１Ａは、左右方向に見た場合に、略長方形状の長方形部分３７１ａを有する中空状に形成される。下枠３７Ａのホロー部３７１Ａは、第１実施形態の凸部３７１ｂを有していない。
【００９５】
ホロー部３７１Ａは、ＦＩＸ障子５２が配置される側（下枠３７Ａにおける上方側）において、見込方向に延びる上面部３７１ｃを有する。また、ホロー部３７１Ａは、仕切壁１１が配置される側において、見込方向に延びる下面部３７１ｅを有する。上面部３７１ｃ及び下面部３７１ｅは、下枠３７Ａの左右方向の全域に形成される。
【００９６】
下枠３７Ａは、見付方向におけるＦＩＸ障子５２と反対側の下面部３７１ｅにおいて、所定厚さの仕切壁１１に取り付けられる。仕切壁１１は、図１３に示すように、開口１１ａの下部において、窓台構造体１１４を備える。窓台構造体１１４は、窓台１１４ａと、窓台１１４ａの上部に配置される笠木１１４ｂと、窓台１１４ａの側面を覆う壁面ボード１１４ｃと、を備えて構成される。窓台１１４ａは、見込方向に幅を有して構成される。笠木１１４ｂは、窓台１１４ａよりも、見込方向に大きい幅を有している。
下枠３７Ａは、下面部３７１ｅを笠木１１４ｂの上面に載置して固定されることで、仕切壁１１に取り付けられる。
【００９７】
［第４実施形態］
次に、本発明の第４実施形態について説明する。図１４は、本発明の第４実施形態に係る室内窓ユニット２０Ｂを示す姿図である。図１５は、図１４のＥ−Ｅ線断面図である。図１６は、図１４のＦ−Ｆ線断面図である。
【００９８】
第４実施形態の室内窓ユニット２０Ｂは、第１実施形態の室内窓ユニット２０と比べて、一方側の側面に、仕切壁１１が設けられていない点において、第１実施形態と異なる。第４実施形態の室内窓ユニット２０Ｂは、図１４に示すように、一方側の側面に壁が存在しない、いわゆる、一方側が「オープン状態」で、仕切壁１１の開口１１ａに取り付けられている。
【００９９】
第４実施形態の端部縦枠３２Ａは、図１５及び図１６に示すように、ホロー部３２１Ａと、延出部３２２と、を有する。
ホロー部３２１Ａは、上下方向に見た場合に、略長方形状の長方形部分３２１ａと、長方形部分３２１ａの見込方向の両端部から見付方向の外側（障子（開閉障子４２、ＦＩＸ障子５２）が配置されない側）に突出する一対の枠側取付片３２１ｄと、を有する。
【０１００】
端部縦枠３２Ａには、ホロー部３２１Ａの見付方向の外側において、端部カバー３２３が取り付けられる。端部カバー３２３は、側面が平面状に形成されると共に見込方向に延びる平面板３２３ａと、平面板３２３ａの見込方向の両端部から見付方向の内側（障子（開閉障子４２、ＦＩＸ障子５２）が配置される側）に突出する一対のカバー側取付片３２３ｂと、を有する。
【０１０１】
一対の枠側取付片３２１ｄに一対のカバー側取付片３２３ｂが係合することで、端部縦枠３２Ａには、端部カバー３２３が取り付けられる。これにより、室内窓ユニット２０Ｂのオープン側の側面は平面状になり、意匠性を向上できる。
【０１０２】
［第５実施形態］
次に、本発明の第５実施形態について説明する。図１７は、本発明の第５実施形態に係る室内窓ユニット２０Ｃを示す姿図である。図１８は、第５実施形態に係る室内窓ユニット２０Ｃの天井１４及び床１３の取り付け構造の第１構造例を示す図である。図１９は、第５実施形態に係る室内窓ユニット２０Ｃの天井１４及び床１３の取り付け構造の第２構造例を示す図である。図２０は、第５実施形態に係る室内窓ユニット２０Ｃの天井１４及び床１３の取り付け構造の第３構造例を示す図である。
【０１０３】
第５実施形態の室内窓ユニット２０Ｃは、第１実施形態の室内窓ユニット２０と比べて、窓の段数と、連窓の窓数とが異なる。また、第５実施形態の室内窓ユニット２０Ｃは、第１実施形態の仕切壁１１に設けられておらず、床１３と天井１４との間に配置されている点において、第１実施形態と異なる。
【０１０４】
第５実施形態の室内窓ユニット２０Ｃは、図１７に示すように、床１３と天井１４との間に配置され、室内窓ユニット２０Ｃ自体で室内空間を仕切っている。第５実施形態の室内窓ユニット２０Ｃは、窓ユニット２１Ｃが左右方向に２ユニット連続して並んで配設される。窓ユニット２１Ｃは、４段で構成され、最上段に開閉窓４０が配置され、開閉窓４０よりも下の段には、ＦＩＸ窓５０が配置される。第５実施形態の室内窓ユニット２０Ｃが設置される場所は、室内空間において、仕切壁が存在しない、床１３と天井１４との間に配置されている。
【０１０５】
第５実施形態においては、上枠３５の構成は、第１実施形態と同様である。
上枠３５は、見付方向における開閉障子４２と反対側の上方に突出する凸部３５１ｂにおいて、上枠３５の上方に配置される天井１４に取り付けられる。天井１４は、図１８〜図２０に示すように、室内空間において、室内窓ユニット２０Ｃを取り付ける位置によって、様々な天井構造を備える。
【０１０６】
まず、天井１４への室内窓ユニット２０Ｃの取り付け構造である第１構造例〜第３構造例について説明する。
第１構造例は、図１８に示すように、天井１４において、第１天井構造体１４１を備える構造例である。第１天井構造体１４１は、野縁１４１ａと、野縁１４１ａの下方側に配置されるかい木１４１ｂと、かい木１４１ｂの下方側に配置される天井ボード１４１ｃと、を有する。
【０１０７】
第１構造例においては、野縁１４１ａ及びかい木１４１ｂは、見込方向に同じ幅を有して構成される。
天井ボード１４１ｃは、かい木１４１ｂの下面に固定され、かい木１４１ｂよりも見込方向に広い幅を有し、天井１４を広く覆う。
【０１０８】
第２構造例は、図１９に示すように、天井１４において、第２天井構造体１４２を備える構造例である。第２天井構造体１４２は、梁構造体１４２ａと、梁構造体１４２ａの下方側に配置されるかい木１４２ｂと、かい木１４２ｂの下方側に配置される天井ボード１４２ｃと、を有する。
【０１０９】
第２天井構造体１４２は、第１天井構造体１４１の野縁１４１ａに代えて、梁構造体１４２ａを有する。梁構造体１４２ａ及びかい木１４２ｂは、第１天井構造体１４１の野縁１４１ａ及びかい木１４１ｂよりも、見込方向の幅が大きく構成される。天井ボード１４２ｃは、第１天井構造体１４１の天井ボード１４１ｃと同様の構成である。
【０１１０】
第３構造例は、図２０に示すように、天井１４において、第３天井構造体１４３を備える構造例である。第３天井構造体１４３は、第２天井構造体１４２の構成に加えて、梁構造体１４２ａの見込方向の両端部に際野縁１４３ｅを有する。第３天井構造体１４３のその他の構成は、第２天井構造体１４２と同様である。
【０１１１】
第１構造例〜第３構造例において、上枠３５は、図１８〜図２０に示すように、凸部３５１ｂの上端が、天井１４のかい木１４１ｂ，１４２ｂの見込方向に延びる面における見込方向の中央近傍に当接された状態で、かい木１４１ｂ，１４２ｂ及び野縁１４１ａ，梁構造体１４２ａにネジ固定されることで、天井１４に取り付けられる。上枠３５の凸部３５１ｂをかい木１４１ｂ、１４２ｂ及び野縁１４１ａ，梁構造体１４２ａに固定した後に、天井ボード１４１ｃ，１４２ｃは、凸部３５１ｂの見付面に天井ボード１４１ｃ，１４２ｃの端部１４１ｄ，１４２ｄが当接又は近接した状態で、長方形部分３５１ａとかい木１４１ｂ、１４２ｂとの間に天井ボード１４１ｃ，１４２ｃが取り付けられると共に、天井となる部分に水平に取り付けられる。これにより、天井ボード１４１ｃ，１４２ｃは、天井１４に固定される凸部３５１ｂを隠すことができると共に、野縁１４１ａ，梁構造体１４２ａとかい木１４１ｂ，１４２ｂの表面を覆うことができる。上枠３５は、凸部３５１ｂが天井ボード１４１ｃ，１４２ｃで隠された状態で天井１４に固定されているため、見付方向の幅を小さくでき、細い見付幅の枠となる。また、上枠３５は、凸部３５１ｂが天井ボード１４１ｃ，１４２ｃで隠されており、凹凸が外部に露出されないため、意匠性を向上できる。
【０１１２】
第５実施形態の室内窓ユニット２０Ｃにおいて、床１３への室内窓ユニット２０Ｃの取り付け構造について説明する。
床１３への室内窓ユニット２０Ｃの取り付け構造は、第１構造例〜第３構造例において全て同様である。また、第５実施形態の室内窓ユニット２０Ｃの下枠３７Ａの構成は、第３実施形態の笠木１１４ｂが上部に配置された窓台１１４ａに、室内窓ユニット２０Ａを設置する場合と同様の構成である。
【０１１３】
下枠３７Ａは、第３実施形態と同様に、図１８に示すように、ホロー部３７１Ａと、上方延出部３７２と、を有する。
ホロー部３７１Ａは、左右方向に見た場合に、略長方形状の長方形部分３７１ａを有する中空状に形成される。下枠３７Ａのホロー部３７１Ａは、第１実施形態の凸部３７１ｂを有していない。
【０１１４】
ホロー部３７１Ａは、ＦＩＸ障子５２が配置される側（下枠３７Ａにおける上方側）において、見込方向に延びる上面部３７１ｃを有する。また、ホロー部３７１Ａは、床１３側において、見込方向に延びる下面部３７１ｅを有する。上面部３７１ｃ及び下面部３７１ｅは、下枠３７Ａの左右方向の全域に形成される。
【０１１５】
下枠３７Ａは、見付方向におけるＦＩＸ障子５２と反対側の下面部３７１ｅにおいて、床１３に取り付けられる。床１３は、床板構造体１３１により構成され、下枠３７Ａは、床板構造体１３１の上面に載置して固定されることで、床１３に取り付けられる。
【０１１６】
以上、本発明の室内窓ユニット２０〜２０Ｃ（建具）の好ましい一実施形態について説明したが、本発明は、上述の実施形態に制限されるものではなく、適宜変更が可能である。
【０１１７】
前記実施形態では、２つのカバー部材（ＦＩＸ側先付けカバー部材５３及びＦＩＸ側後付けカバー部材５４）で、ＦＩＸ障子５２の見付方向の端部を挟んだ状態で、ＦＩＸ障子５２を縦枠３１に固定するように構成したが、これに限定されない。例えば、端部縦枠３２の延出部３２２とＦＩＸ側後付けカバー部材５４との間で、ＦＩＸ障子５２の見付方向の一方の端部を挟むと共に、連結縦枠３３の延出部３３２とＦＩＸ側後付けカバー部材５４との間で、ＦＩＸ障子５２の見付方向の他方の端部を挟んだ状態で、ＦＩＸ障子５２を縦枠３１に固定するように構成してもよい。これにより、１つのカバー部材と縦枠３１の延出部３２２，３３２で障子の端部を挟んだ状態で、障子を縦枠３１に固定できるため、簡易な構成で、障子を容易に縦枠３１に固定できる。
【０１１８】
前記実施形態では、面材として、框体内にガラスを配置して障子（開閉障子及びＦＩＸ障子）について説明したが、これに限定されない。面材は、框体を有していなくてもよく、例えば、ガラスなどのパネルであってもよい。
【０１１９】
前記第１実施形態〜前記第５実施形態において、室内窓ユニットを、仕切壁の開口に施工したり間仕切りとして施工する様々な実施形態について説明したが、これに限定されず、これらの実施形態以外にも、例えば、天井面から下方に突き出した垂れ壁タイプの天井にも施工することもできる。垂れ壁タイプの天井に室内窓ユニットを施工する場合には、上枠の構成は、第１実施形態の上枠３５の構成と同様である。
【０１２０】
前記第４実施形態では、室内窓ユニット２０Ｂの施工について、一方側の側面に壁が存在しない、いわゆる、片側（一方側）が「オープン状態」となる場合について説明したが、これに限定されず、両側の側面に壁が存在しない、両側が「オープン状態」でもよい。
【符号の説明】
【０１２１】
２０，２０Ａ，２０Ｂ，２０Ｃ…室内窓ユニット（建具）
３０…枠体
３１…縦枠
３２…端部縦枠（縦枠）
３３…連結縦枠（縦枠）
３３ｂ…Ｖ溝
３５…上枠
３６…中枠（上枠、下枠）
３７…下枠
４２…開閉障子（面材）
５２…ＦＩＸ障子（面材）
５３…ＦＩＸ側先付けカバー部材（カバー部材、第１カバー部材）
５４…ＦＩＸ側後付けカバー部材（カバー部材、第２カバー部材）
３２１ｃ、３３１ｃ…見込平面部（面材側の見込面）
３２２、３３２…延出部
【図１】
2019031785.tif 000003
【図２】
2019031785.tif 000004
【図３】
2019031785.tif 000005
【図４】
2019031785.tif 000006
【図５】
2019031785.tif 000007
【図６】
2019031785.tif 000008
【図７】
2019031785.tif 000009
【図８】
2019031785.tif 000010
【図９】
2019031785.tif 000011
【図１０】
2019031785.tif 000012
【図１１】
2019031785.tif 000013
【図１２】
2019031785.tif 000014
【図１３】
2019031785.tif 000015
【図１４】
2019031785.tif 000016
【図１５】
2019031785.tif 000017
【図１６】
2019031785.tif 000018
【図１７】
2019031785.tif 000019
【図１８】
2019031785.tif 000020
【図１９】
2019031785.tif 000021
【図２０】
2019031785.tif 000022